(57)【要約】【課題】  本発明の目的は、構造が簡便であって生産コストが低減できると共に、転倒による破損や故障、取り付け不良による発火事故などを防止して安全に且つ簡単に利用できる呼吸同調型酸素供給装置を提供することである。【解決手段】  患者の呼吸に応じて酸素を供給する呼吸同調型酸素供給装置Ａであって、高圧酸素を充填したボンベ１から高圧酸素を供給するボンベバルブ部１０と、該ボンベバルブ部１０から受けた酸素の圧力を所定の大きさまで減圧するための圧力調整部２０と、該圧力調整部２０から受けた酸素を所定の流量に調整するための流量調整部３０と、該流量調整部３０にて流量調整された酸素を患者の呼吸に応じて供給することが可能なデマンドバルブ部４０とを一体化し、且つ前記ボンベバルブ部１０、圧力調整部２０、流量調整部３０、デマンドバルブ部４０の順に並べて一体化したことを特徴とする。【選択図】    図１
2005176879.tif 000002
【特許請求の範囲】
【請求項１】
患者の呼吸に応じて酸素を供給する呼吸同調型酸素供給装置であって、
高圧酸素を充填した容器から高圧酸素を供給するバルブ部と、該バルブ部から受けた酸素の圧力を所定の大きさまで減圧するための圧力調整部と、該圧力調整部から受けた酸素を所定の流量に調整するための流量調整部と、該流量調整部にて流量調整された酸素を患者の呼吸に同調して供給することが可能なデマンドバルブ部とを一体化し、且つ、前記バルブ部、圧力調整部、流量調整部、デマンドバルブ部の順で一体化していることを特徴とする呼吸同調型酸素供給装置。
【請求項２】
前記バルブ部、圧力調整部、流量調整部、デマンドバルブ部を前記容器に対して鉛直方向に略直線状に並べて一体化していることを特徴とする請求項１に記載の呼吸同調型酸素供給装置。
【請求項３】
前記デマンドバルブ部は、患者の吸気・呼気を感知するダイヤフラム部材を備えた第１フロー室に連通する第１の通路と、酸素流出のＯＮ・ＯＦＦを切り替える切替弁を備えた第２フロー室に連通する第２の通路と、が連通された１つの吸入用酸素出口を有し、該吸入用酸素出口を前記デマンドバルブ上に鉛直方向に突出形成したことを特徴とする請求項２に記載の呼吸同調型酸素供給装置。
【請求項４】
更に前記高圧酸素を充填する容器を一体化していることを特徴とする請求項１乃至３のいずれか１項に記載の呼吸同調型酸素供給装置。
【発明の詳細な説明】
【技術分野】
【０００１】
本発明は、容器に充填された高圧酸素を患者の呼吸に応じて供給することが可能な呼吸同調型酸素供給装置に関するものである。
【背景技術】
【０００２】
呼吸治療を受けている患者に対して酸素を供給する酸素供給システムとして、病院、在宅ケア、および患者の移動時の装置類を含めた広い範囲の状況有用な、小型で携帯可能な酸素供給システムがある。この小型で携帯可能な酸素供給システムでは、酸素の供給源として、高圧酸素を充填したボンベなどのシリンダ容器を利用することがある。
【０００３】
このような酸素供給システムにおいて、前記容器からの酸素を患者に対して供給する酸素供給装置としては、例えば特表平１０−５１２７８９号公報（以下、特許文献１）に開示されているように、患者の呼吸に応じて酸素を供給することが可能な呼吸同調型（デマンド式）の酸素供給装置がある。この特許文献１に記載の酸素供給装置は、高圧酸素を患者の使用に適した圧力に減圧する圧力レギュレータモジュール、患者に送り出される低圧酸素の流速（毎分リットル数で測定された流速）を調整するフローコントローラーモジュール、患者の呼吸に応じた酸素の供給が可能な空気式デマンド酸素バルブモジュール、の３つのモジュールを取り付け・取り外し可能に一体に備えた装置である。
【０００４】
この特許文献１に記載の酸素供給装置では、前記圧力レギュレータモジュールの両側に、それぞれ、前記フローコントローラーモジュールと前記空気式デマンド酸素バルブモジュールが取り外し可能に取り付けられて一体となっている。
【０００５】
また特許文献１に記載の酸素供給装置は、酸素供給源としての容器から上方に延びるポストバルブに接続できる構造を有するヨークが前記圧力レギュレータに接続された構成となっている。このヨークに設けられた、ポストバルブを受けるチャンネルに前記ポストバルブを係合固定することで、酸素供給装置が容器から酸素を受けることが可能となる。そして、ポストバルブを介して容器から受けた高圧酸素を圧力レギュレータにて減圧させてフローコントローラーに送り出している。前記圧力レギュレータは酸素の圧力を減圧させるレギュレータ機構以外に、フローコントローラーから空気式デマンド酸素バルブに酸素を導くための導管を別途備えており、前述の如くフローコントローラーに送り出された低圧酸素は、この圧力レギュレータの導管を通って反対側の空気デマンド酸素バルブに導かれ、最終的に患者に供給されることとなる。
【０００６】
【特許文献１】特表平１０−５１２７８９号公報
【発明の開示】
【発明が解決しようとする課題】
【０００７】
上記従来の装置によれば、装置下に配されたシリンダ容器との重量的および質量的バランスをとるために、前記圧力レギュレータモジュールが前記フローコントローラーモジュールと前記空気式デマンド酸素バルブモジュールとの間に位置づけられている。このため、前記圧力レギュレータにて減圧された酸素は、一方の側に取り付けたフローコントローラーに送り出され流速調整された後、再び圧力レギュレータの導管を通して、他方の側に取り付けた空気式デマンド酸素バルブに送り出されることとなり、装置構造が複雑であり、生産コストが高くなるという問題があった。
【０００８】
また、上記従来の装置は、圧力レギュレータモジュールの両側にフローコントローラーモジュールと空気式デマンド酸素バルブモジュールがそれぞれ取り付けられ、且つ各モジュールがシリンダ容器の垂直中心軸に対して水平方向に並ぶように配置構成されているため、該圧力レギュレータモジュール両側に取り付けられたフローコントローラーモジュールと空気デマンド酸素バルブモジュールが両側に突出した状態となり、該突出した両モジュールがシリンダ容器の転倒時に床などと衝突し、該衝突によって破損したり故障するおそれがあった。
【０００９】
また、上記従来の装置は、シリンダ容器の上方に延びるポストバルブに対して取り付け・取り外しが可能な構成であるため、その着脱作業時などに接続部であるポストバルブ、圧力レギュレータに埃や油脂等が混入し、故障の原因になるおそれがあった。また、取り付け不良によってポストバルブと圧力レギュレータとの間に隙間が生じた場合、該隙間からシリンダ容器内の高圧酸素が漏れ、該高圧酸素の漏れによる摩擦熱によってポストバルブ、圧力レギュレータで発火事故が発生するおそれがあった。
【００１０】
更に上記従来の装置は、圧力レギュレータモジュールに対してフローコントローラーモジュール、空気式デマンド酸素バルブモジュールを取り付け、取り外しするための接続手段を有する構成であるため、装置構成が複雑であり、生産コストが高くなるという問題があった。
【００１１】
そこで、本発明は、上記課題を解決するものであって、その目的とするところは、構造が簡便であって生産コストが低減できると共に、転倒による破損や故障、取り付け不良による発火事故などを防止して安全に且つ簡単に利用できる呼吸同調型酸素供給装置を提供することである。
【課題を解決するための手段】
【００１２】
上記目的を達成するための本発明の代表的な構成は、患者の呼吸に応じて酸素を供給する呼吸同調型酸素供給装置であって、高圧酸素を充填した容器から高圧酸素を供給するバルブ部と、該バルブ部から受けた酸素の圧力を所定の大きさまで減圧するための圧力調整部と、該圧力調整部から受けた酸素を所定の流量に調整するための流量調整部と、該流量調整部にて流量調整された酸素を患者の呼吸に同調して供給することが可能なデマンドバルブ部とを一体化し、且つ、前記バルブ部、圧力調整部、流量調整部、デマンドバルブ部の順で一体化していることを特徴とする。
【００１３】
上記構成によれば、各部が取り付け・取り外し不要であり、バルブ部も含めて一体化されているため、構造が簡便であって生産コストが低減できると共に、取り付け不良による発火事故などを防止して安全に且つ簡単に利用できる。
【００１４】
また、上記構成の装置は、前記バルブ部、圧力調整部、流量調整部、デマンドバルブ部を前記容器に対して鉛直方向に略直線上に並べて一体構成することが好ましい。この構成によれば、前記容器に対して水平方向への突出部がなくなるため、装置の転倒時の衝突を低減でき、衝突による破損や故障を防止することができる。
【００１５】
また、上記構成の装置は、前記デマンドバルブ部が、患者の吸気・呼気を感知するダイヤフラム部材を備えた第１フロー室に連通する第１の通路と、酸素流出のＯＮ・ＯＦＦを切り替える切替弁を備えた第２フロー室に連通する第２の通路と、が連通された１つの吸入用酸素出口を有し、該吸入用酸素出口を前記デマンドバルブ部上に鉛直方向に突出形成することが好ましい。この構成によれば、前記容器に対して更に水平方向への突出部がなくなるため、装置の転倒時の衝突を低減でき、衝突による故障を最小限に抑えることができる。
【００１６】
また、上記構成の装置は、更に高圧酸素を充填する容器を一体化することが好ましい。この構成によれば、一体化により取り付け・取り外しが不要となるため、埃や油脂等の混入を防止することができ、取り付け不良による隙間もなく、該隙間からの高圧酸素漏れによる発火事故の発生も防止することができ、安全に且つ簡単に利用できる。
【発明の効果】
【００１７】
上記本発明によれば、バルブ部も含めて、圧力調整部、流量調整部、デマンドバルブ部が一体化されているため、従来のものに比べて装置構造が簡便であり、生産コストを低減できる。また前述の一体化により小型化も可能となる。
【００１８】
また、バルブ部、圧力調整部、流量調整部、デマンドバルブ部を順に並べて一体化することにより、更に具体的には鉛直方向に略直線上に並べて一体構成することにより、容器に対して水平方向への突出部がなくなるため、装置転倒時の衝突を低減でき、衝突による破損や故障を防止することができる。
【００１９】
また、バルブ部も含めて一体化したため、従来必要であったバルブに対する取り付け、取り外しが不要となり、該取り付け作業時に接続部に埃や油脂等が混入するのを防止することができる。また、取り付け不良による接続部間の隙間も生じないため、該隙間からの高圧酸素漏れによる摩擦熱によって発火事故が発生するのを防止することができ、安全に且つ簡単に利用できる。
【００２０】
また、バルブ部も含めて、圧力調整部、流量調整部、デマンドバルブ部は一体化されており、従来のようなこれらを取り付け、取り外しするための接続手段が不要であるため、構造が簡単であり、生産コストを低減できる。
【発明を実施するための最良の形態】
【００２１】
〔第１実施形態〕
図１に示すように、呼吸同調型酸素供給装置Ａは、高圧酸素を充填するための容器（酸素供給源）としてのボンベ１上に結合されている。この呼吸同調型酸素供給装置Ａは、患者呼吸補助装置として機能し、ボンベ１から得た高圧酸素を、患者に対して所定の圧力、流量、タイミングで適宜供給することが可能な構成となっている。
【００２２】
本実施形態に係る呼吸同調型酸素供給装置Ａは、図１に示すように、酸素供給源から患者に至るまでの装置構成が、ボンベバルブ部１０、圧力調整部２０、流量調整部３０、デマンドバルブ部４０が一体化され、且つボンベバルブ部１０、圧力調整部２０、流量調整部３０、デマンドバルブ部４０の順に並べて一体化されている。
【００２３】
なお、本実施形態では、高圧酸素（例えば約１９．６ＭＰａ）を充填するための容器（酸素供給源）としてのボンベ１を例示している。このボンベ１は、円筒型の本体上部に酸素吐出口１ａを有する細首部１ｂを備えており、この細首部１ｂの酸素吐出口１ａにボンベバルブ部１０の下端部が結合されて、ボンベバルブ部１０がボンベ１に対して直立して接続される。ボンベバルブ部１０は、ボンベ１の酸素吐出口１ａからの高圧酸素を圧力調整部２０へ導く構造を備え、更にボンベ１内に高圧酸素を充填するための充填口１１を備えている。
【００２４】
圧力調整部２０は、ボンベ１から供給された高圧酸素を、患者に適した低圧酸素（例えば約０．１５ＭＰａ）に調整する機能を有する。圧力調整部２０は、図５に示すように圧力計２１を備え、ボンベ１内の残存酸素の圧力を使用者に知らせる。この圧力調整部２０は、患者に適した圧力に減じた酸素を流量調整部３０に供給する。この圧力調整部２０は、前記ボンベバルブ部１０上に一体化され、ボンベバルブ部１０を介してボンベ１からの高圧酸素を圧力調整部２０内に導いている。
【００２５】
流量調整部３０は、圧力調整部２０にて減圧された低圧酸素（例えば約０．１５ＭＰａ）を、患者に供給する供給用の酸素と、患者の呼吸に応じて前記供給用の酸素の供給・遮断を制御するための制御用の酸素（以下、制御ガス）とに分流する機能を有すると共に、これらの低圧酸素の流量（毎分リットル数：Ｌ／Ｍ）を調整する機能を有する。この流量調整部３０は、デマンドバルブ部４０における制御ガス入口４１、制御ガス出口４２、吸入用酸素入口４３の各口に対向するように、径の異なる（すなわち流量の異なる）種々のオリフィス及び遮断壁を有する回転切り替え可能なロータリーバルブ４４が配されている。
【００２６】
このロータリーバルブ４４は、図４に示すように、制御ガス入口４１に対向するように同じ径の複数の制御ガス入口オリフィス４４ａ、制御ガス出口４２に対向するように径の異なる複数の制御ガス出口オリフィス４４ｂ、吸入用酸素入口４３に対向するように径の異なる複数の吸入用酸素入口オリフィス４４ｃ、及び各遮断壁を回転切り替え可能に備えている。なお、３つの各口４１，４２，４３に対向する遮断壁は、前述のオリフィスが設けられていない部分が遮断壁として機能する。この３つの口４１，４２，４３に対向する各オリフィス及び遮断壁の切り替えにより後述する、患者の呼吸に同調して酸素供給が可能であり且つ供給酸素の流量が調整可能なデマンドモード、患者の呼吸にかかわらず酸素の連続供給が可能な連続モード、酸素の供給を遮断する遮断モードが適宜選択できる。
【００２７】
なお、図４では、患者の呼吸に同調するデマンドモード時の流量調整が５段階切り替え可能であり、患者の呼吸にかかわらず酸素を連続供給する連続モードが１つの場合を例示しているが、これに限定されるものではなく、これらは必要に応じて適宜設ければ良い。
【００２８】
前記ロータリーバルブ４４は、図５に示すように装置外から使用者が操作できるように操作ダイヤル４５が一体に形成されており、該ダイヤル４５を回転させてロータリーバルブ４４の種々の孔および遮断壁を適宜切り替えることで、吸入用酸素および制御ガスの流量を適宜選択することができるようになっている。この流量調整部３０は、図１に示すように、前記圧力調整部２０上に一体化され、減圧された低圧酸素を流量調整部３０内に導いている。
【００２９】
デマンドバルブ部４０は、患者の呼吸に同調して酸素を供給することが可能であり、流量調整部３０からの調整された低圧酸素である、吸入用酸素と制御用酸素（制御ガス）をそれぞれ吸入用酸素入口４３、制御ガス入口４１から取り込み、吸入用酸素を該デマンドバルブ部４０に接続され患者に装着されたカニューレを通して適宜患者に供給する。このデマンドバルブ部４０は、前記流量調整部３０上に一体化され、調整された各低圧酸素を適宜デマンドバルブ部４０内に導いている。
【００３０】
デマンドバルブ部４０は、カニューレを接続して患者がデマンドバルブ部４０から酸素を受ける酸素出口４６であって、呼吸に関する入力（例えば吸気圧および呼気圧）をデマンドバルブ部４０に伝えるための吸入口を兼ねた酸素出口４６を有する。更にデマンドバルブ部４０は、前記酸素出口４６からの吸気を感知するダイヤフラム部材４７と、該ダイヤフラム部材４７が配された第１フロー室４８と、制御ガスによる圧力と酸素による圧力とのバランスによって酸素流出のＯＮ・ＯＦＦを切り替える切替弁４９と、該切替弁４９が配された第２フロー室５０を備えている。
【００３１】
またデマンドバルブ部４０は、前記第１フロー室４８のダイヤフラム部材４７下方側の第１フロー下室４８ａと前記第２フロー室５０の切替弁４９上方側の第２フロー上室５０ｂとを連絡する連絡通路５１と、前記酸素出口４６と第１フロー室４８のダイヤフラム部材４７上方側の第１フロー上室４８ｂとを連通する吸入通路（第１の通路）５２と、流量調整部３０のロータリーバルブ４４を介して圧力調整部２０と連通・遮断する吸入用酸素入口４３からの酸素を第２フロー室５０の切替弁４９下方側の第２フロー下室５０ａへ導く第１酸素通路５３と、第２フロー室５０の切替弁４９下方側の第２フロー下室５０ａを介して酸素出口４６に酸素を導く第２酸素通路（第２の通路）５４と、流量調整部３０のロータリーバルブ４４を介して圧力調整部２０と連通・遮断する制御ガス入口４１からの制御ガスを前記連絡通路５１へ導く第１制御ガス通路５５、前記連絡通路５１及び第１フロー室４８のダイヤフラム部材４７下方側の第１フロー下室４８ａを介して制御ガスを制御ガス出口４２に導き該制御ガスを大気開放するための第２制御ガス通路５６を備えている。
【００３２】
本実施形態に係る呼吸同調型酸素供給装置Ａは、前述したボンベバルブ部１０を含む、圧力調整部２０、流量調整部３０、デマンドバルブ部４０を一体化し、且つ図１に示すようにボンベバルブ部１０、圧力調整部２０、流量調整部３０、デマンドバルブ部４０の順に並んで一体化している。これにより、装置構造が簡便であり、生産コストを低減できる。また一体化により小型化が可能となる。
【００３３】
また、圧力調整部２０、流量調整部３０、デマンドバルブ部と共にボンベバルブ部１０も一体化しており、従来のようなバルブに対する取り付け、取り外しが不要となるため、取り付け作業時に接続部に埃や油脂等が混入するのを防止できる。また、取り付け不良による接続部間の隙間も生じないため、該隙間からの高圧酸素漏れによる摩擦熱によって発火事故が発生するのも防止でき、安全に且つ簡単に利用できる。
【００３４】
また、ボンベバルブ部１０も含めて、圧力調整部２０、流量調整部３０、デマンドバルブ部４０を一体化しており、従来のようなこれらを取り付け、取り外しするための接続手段は不要であるため、構造が簡単であり、生産コストを低減できる。
【００３５】
更に本実施形態では、図１に示すように、前記ボンベバルブ部１０、圧力調整部２０、流量調整部３０、デマンドバルブ部４０が順に並んで一体であるだけでなく、更に鉛直方向に略直線状に配置構成している。この構成により、ボンベ１に対して水平方向への突出部がなくなるため、装置転倒時の衝突を低減でき、衝突による破損や故障を防止することができる。
【００３６】
また本実施形態では、図１に示すように、前記デマンドバルブ部４０において、患者の呼吸を感知する吸入口を兼ねた酸素出口４６を鉛直方向に突出形成している。この構成により、ボンベ１に対して更に水平方向への突出部がなくなるため、装置転倒時の衝突を低減でき、衝突による破損や故障を防止することができる。
【００３７】
更に本実施形態では、図１に示すように、前記酸素供給源としての高圧酸素を充填するボンベ１も一体化している。そして、このようにして一体化した後に、前記ボンベバルブ部１０の充填口１１を通してボンベ内に高圧酸素（例えば約      ｋＰａ）を充填している。従って、前述の一体化により従来のような接続部が存在しないため、接続部に埃や油脂等が混入するのを防止できる。また、一体化により取り付け作業による接続部間の隙間も生じないため、隙間からの高圧酸素漏れによる発火事故の発生も防止でき、安全に且つ簡単に利用できる。
【００３８】
次に、上記呼吸同調型酸素供給装置Ａにより患者に酸素を供給する動作について詳しく説明する。上記構成の酸素供給装置Ａは、患者の呼吸に応じて所定量の酸素を供給するデマンドモードと、患者の呼吸に関わらず所定量の酸素を連続して供給する連続供給モードと、酸素の供給を遮断する遮断モードでの動作が可能となっている。
【００３９】
デマンドモードでは、患者の呼気時には、図２に示すように、第１フロー室４８のダイヤフラム部材４７がバネ等の付勢部材４７ａによって下方に付勢され、連絡通路５１上方の制御ガス吐出口５１ａがダイヤフラム部材４７によって閉塞されている。これにより、第１制御ガス通路５５及び連絡通路５１を通して供給された制御ガスは、第２フロー室５０の切替弁４９上方側の第２フロー上室５０ｂに導かれる。このとき、この制御ガスの圧力の方が該第２フロー室５０の切替弁４９下方側の第２フロー下室５０ａに向けて導かれた吸入用酸素の圧力より大きいため、該制御ガスによって切替弁４９は下方に押圧され、該切替弁４９によって第２フロー下室５０ａに面する第１酸素通路５３及び第２酸素通路５４は閉塞されている。従って、デマンドモードにおいて、患者の呼気時には、患者に対して酸素の供給を行わないようになっている。
【００４０】
一方、デマンドモードにおいて、酸素出口４６を通して患者による吸気が行われると、図３に示すように、第１フロー室４８のダイヤフラム部材４７上方側の第１フロー上室４８ｂに負圧が生じ、ダイヤフラム部材４７が付勢部材４７ａの付勢力に抗して撓み、連絡通路５１上方の制御ガス吐出口５１ａが開放される。これにより、第１制御ガス通路５５及び連絡通路５１を通して供給された制御ガスは、第１フロー室４８のダイヤフラム部材４７下方側の第１フロー下室４８ａを通して第２制御ガス通路５６に導かれ、制御ガス出口４２から大気排出される。前記ダイヤフラム部材４７による制御ガス吐出口５１ａの開放により、前記切替弁４９は制御ガスによる上方からの圧力が弱まり下方からの酸素の圧力の方が大きくなるため、該下方からの酸素の圧力により上方に移動する。これにより患者によって吸気が行われている間は、第１酸素通路５３からの酸素が、切替弁４９下方側の第２フロー下室５０ａを通して第２酸素通路５４に導かれ、該第２酸素通路５４を通して酸素出口４６から患者に対して供給される。このようにデマンドモードでは、患者の呼吸に応じて、患者の吸気時のみ所定量の酸素を供給している。
【００４１】
連続モードでは、前述した流量調整部３０においてロータリーバルブ４４の遮断壁を用いて制御ガスの供給を遮断（制御ガス入口４１を閉塞）すれば、該制御ガスによる切替弁４９上方の圧力が解除されるため、切替弁４９下方からの酸素の圧力により切替弁４９が上方に移動したままの状態となる。これにより患者の呼吸に関わらず、第１酸素通路５３からの所定量の酸素が、切替弁４９下方側の第２フロー下室５０ａを通して第２酸素通路５４に導かれ、該第２酸素通路５４を通して酸素出口４６から患者に対して連続して供給し続けることができる。
【００４２】
遮断モードでは、同様に流量調整部３０においてロータリーバルブ４４の遮断壁を用いて制御ガス及び酸素の供給を遮断（制御ガス入口４１及び酸素入口４３を閉塞）すれば良い。
【００４３】
このように本実施形態に係る呼吸同調型酸素供給装置Ａによれば、ダイヤフラム部材４７が患者の呼吸を感知して、これに基づいて患者に対して必要なだけ酸素を供給することができ（デマンドモード）、あるいは患者の呼吸にかかわらず酸素を連続供給することも可能であり（連続モード）、あるいは必要に応じて酸素の供給を遮断することも可能である（遮断モード）。
【００４４】
上述したように、本実施形態によれば、ボンベバルブ部１０、圧力調整部２０、流量調整部３０、デマンドバルブ部４０を一体化し、且つ順に並べて一体化することにより、患者に供給する酸素の経路が酸素供給源から上方の酸素出口に向けて略直線状に導かれ、従来のように装置内のモジュール間を酸素が行き来するような経路ではないため、吸入用酸素の流れがスムーズである。更に、従来のものに比べて装置構造が簡便であり、生産コストは削減され、リーズナブルな価格で客先への提供が可能である。また、前述の一体化により小型化が可能である。
【００４５】
更に、ボンベバルブ部１０、圧力調整部２０、流量調整部３０、デマンドバルブ部４０を鉛直方向に略直線状に配置構成することにより、ボンベ１に対して水平方向への突出部もなくなるため、装置転倒時の衝突を低減でき、衝突による破損や故障を防止することができる。また、吸入用酸素の流れも下方から上方へと略直線状になるため、吸入用酸素がスムーズに流れる。
【００４６】
また、圧力調整部２０、流量調整部３０、デマンドバルブ部４０と共にボンベバルブ部１０も一体化することにより、従来のようなバルブに対する取り付け、取り外しが不要となるため、該着脱作業時に接続部に埃や油脂等が混入するという不具合を防止できる。また、取り付け不良による接続部間の隙間も生じないため、該隙間からの高圧酸素漏れによる摩擦熱によって発火事故が発生するのを防止でき、安全である。
【００４７】
更にボンベバルブ部１０も含めて、圧力調整部２０、流量調整部３０、デマンドバルブ部４０は一体であり、従来のようにこれらを取り付け、取り外しするための接続手段は不要であるため、構造が簡単であり、生産コストを低減できる。
【００４８】
またデマンドバルブ部４０において、患者の呼吸を感知する吸入口を兼ねた酸素出口４６を鉛直方向に突出形成することにより、ボンベ１に対して更に水平方向への突出部がなくなるため、装置転倒時の衝突を低減でき、衝突による破損や故障を防止することができる。更に、患者に供給する酸素の経路が下方から上方に向けて略直線状に導かれ、従来のように装置内のモジュール間を酸素が行き来するような経路ではないため、吸入用酸素の流れがスムーズである。
【００４９】
更に酸素供給源としての高圧酸素を充填するボンベ１も一体化することにより、従来のような接続部が存在しないため、接続部に埃や油脂等が混入したり、取り付け不良により接続部間に隙間が生じたりするのを防止できる。
【００５０】
〔他の実施形態〕
前述した実施形態では、デマンドバルブ部４０に設けた吸入用の酸素出口４６を、鉛直方向に吐出形成した構成を例示したが、これに限定されるものではなく、例えば患者にとって鉛直方向への突出配置よりも側方への配置の方が好ましい場合は、図６に示すように吸入用の酸素出口４６をデマンドバルブ部４０から側方に突出するように設けても良い。この構成であっても、ボンベバルブ部１０、圧力調整部２０、流量調整部３０、デマンドバルブ部４０が鉛直方向に略一直線状に一体化されているため、装置転倒時においても酸素出口の衝突を低減でき、転倒による破損や故障を防止することができる。また従来のものに比べて、吸入用酸素も略直線状に導かれるため、該吸入用酸素の流れがスムーズである。
【００５１】
また前述した実施形態では、高圧酸素を充填するための容器（酸素供給源）として、円筒型の本体上部に酸素吐出口を有する細首部を備えたボンベを例示したが、該容器の形状はこれに限定されるものではなく、その他の形状であっても良い。
【産業上の利用可能性】
【００５２】
本発明の活用例として、特に、病院、在宅ケア、および患者の移動時の装置類を含めた、小型で携帯可能な酸素供給システムにおいて、高圧酸素などの医療ガスを必要に応じて患者に供給する呼吸同調型酸素供給装置として適用することが出来る。
【図面の簡単な説明】
【００５３】
【図１】第１実施形態に係る呼吸同調型酸素供給装置の模式断面図である。
【図２】第１実施形態に係る呼吸同調型酸素供給装置におけるデマンドバルブ部の酸素供給停止時の動作状態を示す模式断面図である。
【図３】第１実施形態に係る呼吸同調型酸素供給装置におけるデマンドバルブ部の酸素供給時の動作状態を示す模式断面図である。
【図４】第１実施形態に係る呼吸同調型酸素供給装置におけるデマンドバルブ部のロータリーバルブを示す説明図である。
【図５】第１実施形態に係る呼吸同調型酸素供給装置の外観図である。
【図６】第２実施形態に係る呼吸同調型酸素供給装置の模式断面図である。
【符号の説明】
【００５４】
Ａ    …呼吸同調型酸素供給装置
１    …ボンベ
１ａ  …酸素吐出口
１ｂ  …細首部
１０  …ボンベバルブ部
１１  …充填口
２０  …圧力調整部
３０  …流量調整部
４０  …デマンドバルブ部
４１  …制御ガス入口
４２  …制御ガス出口
４３  …酸素入口
４４  …ロータリーバルブ
４４ａ …制御ガス入口オリフィス
４４ｂ …制御ガス出口オリフィス
４４ｃ …吸入用酸素入口オリフィス
４５  …操作ダイヤル
４６  …酸素出口
４７  …ダイヤフラム部材
４７ａ …付勢部材
４８  …第１フロー室
４８ａ …第１フロー下室
４８ｂ …第１フロー上室
４９  …切替弁
５０  …第２フロー室
５０ａ …第２フロー下室
５０ｂ …第２フロー上室
５１  …連絡通路
５１ａ …制御ガス吐出口
５２  …吸入通路
５３  …第１酸素通路
５４  …第２酸素通路
５５  …第１制御ガス通路
５６  …第２制御ガス通路
【図１】
2005176879.tif 000003
【図２】
2005176879.tif 000004
【図３】
2005176879.tif 000005
【図４】
2005176879.tif 000006
【図５】
2005176879.tif 000007
【図６】
2005176879.tif 000008